(57)【要約】【課題】第１本体部材と第２本体部材とを組付けてコンソール本体を構成した際に、当接した両本体部材の端縁間に隙間や段差が形成されないようにする。【解決手段】リアパネル部材２０に設けた第１係止部５２は、サイドパネル部材１４側へ延出する連結片部５６と、この連結片部５６の内側面５６Ｂに設けられた係止列部６０とを備える。サイドパネル部材１４に設けた第２係止部５４は、内壁面１４Ａに立設した支持部７０Ａで支持されて、内壁面１４Ａとの間に連結片部５６の挿通を許容する規制部７０Ｂと、規制部７０Ｂに設けられた係止舌片部７４とを備える。係止舌片部７４が係止列部６０の係止受部６４に係止することで、連結片部５６のリアパネル部材２０とサイドパネル部材１４とが離間する方向への移動が規制される。【選択図】図２
2009035078.tif 000002
【特許請求の範囲】
【請求項１】
第１本体部材の第１端縁部に設けた第１係止部を、第２本体部材の第２端縁部に設けた第２係止部で係止することで、前記第１本体部材の第１端縁部における端縁と前記第２本体部材の第２端縁部における端縁とを当接した状態で両本体部材が組付けられるコンソール本体を有するフロアコンソールにおいて、
前記第１係止部は、前記第１本体部材の端縁より前記第２本体部材側へ延出し、第１本体部材と第２本体部材との組付け時に該第２本体部材の壁面に沿って延在する連結片部と、前記連結片部の少なくとも一面に設けられ、該連結片部の延出方向に離間配置した複数の係止受部からなる係止列部とを備え、
前記第２係止部は、前記第２本体部材の壁面に立設した支持部で支持されて、前記壁面との間に連結片部の挿通を許容する間隙を画成する規制部と、前記壁面、支持部または規制部の少なくとも一箇所に設けられて前記間隙に挿通した連結片部の前記係止列部に対向し、前記間隙から退避するよう弾性変形することで、間隙に挿通した連結片部の第１本体部材と第２本体部材とが互いに近接する方向への移動を許容すると共に、前記係止受部に係止することで、前記間隙に挿通した連結片部の第１本体部材と第２本体部材とが互いに離間する方向への移動を規制する係止舌片部とを備える
ことを特徴とするフロアコンソール。
【請求項２】
前記係止列部は、該連結片部の延出方向と交差する方向において並列に複数設けられ、
前記係止舌片部は、前記連結片部の延出方向と交差する方向において前記各係止列部に夫々対向するよう並列に複数設けられ、
前記各係止列部は、前記複数の係止受部を前記連結片部の延出方向において互いにずらして配置され、
前記各係止舌片部は、前記連結片部の延出方向において一致するように配置される請求項１記載のフロアコンソール。
【請求項３】
前記係止舌片部は、前記連結片部の延出方向と交差する方向において前記係止列部に対向するよう並列に複数設けられ、
前記各係止舌片部は、前記連結片部の延出方向において前記係止受部の離間間隔以下の間隔でずらして配置される請求項１記載のフロアコンソール。
【請求項４】
前記係止列部は、該連結片部の延出方向と交差する方向において並列に複数設けられ、
前記係止舌片部は、前記連結片部の延出方向と交差する方向において前記各係止列部に夫々対向するよう並列に複数設けられ、
前記各係止列部は、前記複数の係止受部を前記連結片部の延出方向において一致するように配置され、
前記各係止舌片部は、前記連結片部の延出方向において前記係止受部の離間間隔以下の間隔でずらして配置される請求項１記載のフロアコンソール。
【請求項５】
前記係止列部は前記規制部に対向する側面に設けられ、前記係止舌片部は該規制部に設けられる請求項２または３記載のフロアコンソール。
【請求項６】
前記係止列部は、連結片部を挟んで立設される２つの前記支持部に夫々対向する各端面に設けられ、前記係止舌片部は各支持部に設けられる請求項２または４記載のフロアコンソール。
【請求項７】
前記第１係止部は、少なくとも前記コンソールボックスの本体下端部に臨む前記第１端縁部の下端部に設けられる請求項１〜６の何れか一項に記載のフロアコンソール。
【発明の詳細な説明】
【技術分野】
【０００１】
本発明は、フロアコンソールに関し、更に詳細には、複数の部材を組付けてコンソール本体を構成するフロアコンソールに関するものである。
【背景技術】
【０００２】
セダンタイプやステーションワゴンタイプ等の自動車の多くには、車内における前部座席間(運転席と助手席との間)のフロアに、携帯品等を収納または載置可能なフロアコンソールが設置されている。図１２に示すように、このフロアコンソールＦＣは、物品収納部を備えた合成樹脂製の成形部材であるコンソール本体１０と、このコンソール本体１０の上部に配設されて物品収納部を開閉するコンソールリッド１２とから構成されている。
【０００３】
コンソール本体１０は、各車種毎に外形形状やサイズ等が異なり、成形工程に伴う制約により、単一の成形部材として構成できないことが多い。このため、図１２に示すフロアコンソールＦＣでは、車内のフロアに該フロアコンソールＦＣを設置した際に車体の前後方向となる方向をコンソール本体１０の前後方向とした場合に、左右に位置する左パネル１６および右パネル１８と上方に位置する上パネル１７とで構成されるサイドパネル部材１４と、後ろに位置する後パネル２２で構成されてサイドパネル部材１４の後側に組付けられるリアパネル部材２０とからコンソール本体１０が分割構成されている。これらサイドパネル部材１４とリアパネル部材２０とは、サイドパネル部材１４の後側に位置する後端部２４の端縁と、リアパネル部材２０の前側に位置する前端部２６の端縁とを互いに当接させた状態で組付けられる。
【０００４】
サイドパネル部材１４とリアパネル部材２０との組付けは、例えば図１３および図１４に示すように、該サイドパネル部材１４の後端部２４とリアパネル部材２０の前端部２６とに沿って交互に配置した第１連結部３０および第２連結部４０を利用して行なわれる。第１連結部３０は、リアパネル部材２０側に設けた爪状突部３２とサイドパネル部材１４側に設けた係合孔部３４とで構成され、リアパネル部材２０とサイドパネル部材１４とを組付ける際に爪状突部３２が係合孔部３４に挿入して係合するようになっている。この第１連結部３０は、図１５から明らかなように、爪状突部３２がサイドパネル部材１４の内壁面１４Ａに当接すると共に、係合孔部３４を設けたリブ３６が該爪状突部３２に内側から当接するため、サイドパネル部材１４の後端部２４とリアパネル部材２０の前端部２６とが、コンソール本体１０の前後方向と交差する左右方向へずれることを規制する。一方、第２連結部４０は、リアパネル部材２０側に設けた係止孔部４２とサイドパネル部材１４側に設けた係止突部４４とで構成され、サイドパネル部材１４とリアパネル部材２０とを組付ける際に係止突部４４が係止孔部４２に挿入されて係止するようになっている。この第２連結部４０は、図１７から明らかなように、サイドパネル部材１４の後端部２４とリアパネル部材２０の前端部２６とが、コンソール本体１０の前後方向へ離間することを規制する。
【０００５】
従って、前述した第１連結部３０と第２連結部４０とを、サイドパネル部材１４の後端部２４およびリアパネル部材２０の前端部２６に沿って交互に配置することで、両パネル部材１４,２０の両端部２４,２６が左右方向へずれたり前後方向へ離間して隙間が形成されることを防止するよう考慮されている。なお、図１３に示すコンソール本体１０は、サイドパネル部材１４の上方およびリアパネル部材２０の内側上方に、係止孔４６,４６および係止フック４８,４８を備えているが、これら係止孔４６および係止フック４８を備えていない場合には、サイドパネル部材１４の後端部２４およびリアパネル部材２０の前端部２６の全体に第１連結部３０および第２連結部４０が配置される。このようなサイドパネル部材１４とリアパネル部材２０とを組付けて構成されるコンソール本体を備えたフロアコンソールに関しては、例えば特許文献１に開示されている。
【特許文献１】実開平６−７８０９３号公報
【発明の開示】
【発明が解決しようとする課題】
【０００６】
ところで、前述したフロアコンソールＦＣでは、第１連結部３０と第２連結部４０との配置に関連して、次のような問題が発生していた。先ず第１連結部３０は、爪状突部３２が係合孔部３４に係合していても、図１５に２点鎖線で図示するように、前後から当接したサイドパネル部材１４の後端部２４とリアパネル部材２０の前端部２６とが、コンソール本体１０の前後方向に離間することを規制できない。従って、コンソール本体１０の本体下端部１０Ａに臨むサイドパネル部材１４における後端部２４の下端部およびリアパネル部材２０における前端部２６の下端部に第１連結部３０を配置した場合(図１６の場合)には、サイドパネル部材１４とリアパネル部材２０との当接部分に隙間が形成され易く、フロアコンソールＦＣの品質低下を招来するおそれがあった。
【０００７】
一方、第２連結部４０は、係止突部４４が係止孔部４２に係止していても、図１７に２点鎖線で図示するように、前後から当接したサイドパネル部材１４の後端部２４とリアパネル部材２０の前端部２６とが、コンソール本体１０の左右方向にずれることを規制できない。従って、コンソール本体１０の本体下端部１０Ａに臨むサイドパネル部材１４における後端部２４の下端部およびリアパネル部材２０における前端部２６の下端部に第２連結部４０を配置した場合(図１３の場合)には、サイドパネル部材１４とリアパネル部材２０との当接部分に段差が形成され易く、フロアコンソールＦＣの品質低下を招来するおそれがあった。
【０００８】
更に第２連結部４０は、係止突部４４と係止孔部４２とが成形誤差や熱変形等に起因して規定位置からずれて形成されていた場合には、サイドパネル部材１４とリアパネル部材２０とを適切に連結できない欠点を内在している。例えば、係止孔部４２の形成位置が規定位置より端縁から離間する方向(図１７において右方向)にずれていたり、係止突部４４の形成位置が規定位置より端縁に近接する方向(図１７において左方向)にずれていた場合には、端縁同士が当接する前に係止孔部４２と係止突部４４とが係止されるので、サイドパネル部材１４とリアパネル部材２０との間に隙間が形成される不都合が発生する。一方、係止孔部４２の形成位置が規定位置より端縁に近接する方向(図１７において左方向)にずれていたり、係止突部４４の形成位置が規定位置より端縁から離間する方向(図１７において右方向)にずれていた場合には、端縁同士が当接しても係止孔部４２と係止突部４４とが係止しなくなり、サイドパネル部材１４とリアパネル部材２０とが離間して隙間が形成される不都合が発生する。すなわち、前述した従来の第２連結部４０は、係止孔部４２と係止突部４４との形成位置が不適切であると、サイドパネル部材１４およびリアパネル部材２０の下端部に隣接して配置したとしても、サイドパネル部材１４とリアパネル部材２０との当接部分に隙間が形成されることがあり、コンソール本体１０の品質低下を招来するおそれがあった。
【０００９】
そこで本発明では、前述した従来の技術に内在している課題に鑑み、これを好適に解決するべく提案されたものであって、第１本体部材と第２本体部材とを組付けてコンソール本体を構成した際に、当接した両本体部材の端縁間に隙間や段差が形成されないようにしたフロアコンソールを提供することを目的とする。
【課題を解決するための手段】
【００１０】
前記課題を解決し、所期の目的を達成するため、本願の請求項１に記載の発明は、第１本体部材の第１端縁部に設けた第１係止部を、第２本体部材の第２端縁部に設けた第２係止部で係止することで、前記第１本体部材の第１端縁部における端縁と前記第２本体部材の第２端縁部における端縁とを当接した状態で両本体部材が組付けられるコンソール本体を有するフロアコンソールにおいて、
前記第１係止部は、前記第１本体部材の端縁より前記第２本体部材側へ延出し、第１本体部材と第２本体部材との組付け時に該第２本体部材の壁面に沿って延在する連結片部と、前記連結片部の少なくとも一面に設けられ、該連結片部の延出方向に離間配置した複数の係止受部からなる係止列部とを備え、
前記第２係止部は、前記第２本体部材の壁面に立設した支持部で支持されて、前記壁面との間に連結片部の挿通を許容する間隙を画成する規制部と、前記壁面、支持部または規制部の少なくとも一箇所に設けられて前記間隙に挿通した連結片部の前記係止列部に対向し、前記間隙から退避するよう弾性変形することで、間隙に挿通した連結片部の第１本体部材と第２本体部材とが互いに近接する方向への移動を許容すると共に、前記係止受部に係止することで、前記間隙に挿通した連結片部の第１本体部材と第２本体部材とが互いに離間する方向への移動を規制する係止舌片部とを備えることを要旨とする。
【００１１】
従って、請求項１に係る発明によれば、第１本体部材と第２本体部材との組付け時には、間隙に挿通する連結片部により係止舌片部が弾性変形するので、間隙に挿通する連結片部の両本体部材が互いに近接する方向への移動が許容され、両本体部材を端縁が当接した状態に組付けることを可能とする。そして、第１本体部材と第２本体部材との組付けにより間隙に挿通された連結片部は、連結片部に設けた複数の係止受部の何れかと係止舌片部との係止により両本体部材が互いに離間する方向への移動が規制され、当接した両本体部材の端縁間に隙間が形成されることを防止する。また、間隙に挿通した連結片部は、第２本体部材の壁面と規制部とにより該壁面方向および規制部方向への移動も規制され、当接した両本体部材の端縁間に段差が形成されることも防止する。更に、係止列部には連結片部の延出方向に複数の係止受部を離間配置してあるので、第１係止部または第２係止部の形成位置が規定位置から連結片部の延出方向にずれていても、第１本体部材と第２本体部材との端縁が互いに密着した状態において第１係止部と第２係止部との係止が図られる。
【００１２】
請求項２に記載の発明は、前記係止列部は、該連結片部の延出方向と交差する方向において並列に複数設けられ、
前記係止舌片部は、前記連結片部の延出方向と交差する方向において前記各係止列部に夫々対向するよう並列に複数設けられ、
前記各係止列部は、前記複数の係止受部を前記連結片部の延出方向において互いにずらして配置され、
前記各係止舌片部は、前記連結片部の延出方向において一致するように配置されることを要旨とする。
従って、請求項２に係る発明によれば、係止受部と係止舌片部との係止間隔が各係止受部の離間間隔より小さくなるので、第１本体部材と第２本体部材との組付け位置を細かく調整することが可能となり、両本体部材を端縁が当接した状態で組付けることができる。
【００１３】
請求項３に記載の発明は、前記係止舌片部は、前記連結片部の延出方向と交差する方向において前記係止列部に対向するよう並列に複数設けられ、
前記各係止舌片部は、前記連結片部の延出方向において前記係止受部の離間間隔以下の間隔でずらして配置されることを要旨とする。
従って、請求項３に係る発明によれば、係止受部と係止舌片部との係止間隔が各係止受部の離間間隔より小さくなるので、第１本体部材と第２本体部材との組付け位置を細かく調整することが可能となり、両本体部材を端縁が当接した状態で組付けることができる。
【００１４】
請求項４に記載の発明は、前記係止列部は、該連結片部の延出方向と交差する方向において並列に複数設けられ、
前記係止舌片部は、前記連結片部の延出方向と交差する方向において前記各係止列部に夫々対向するよう並列に複数設けられ、
前記各係止列部は、前記複数の係止受部を前記連結片部の延出方向において一致するように配置され、
前記各係止舌片部は、前記連結片部の延出方向において前記係止受部の離間間隔以下の間隔でずらして配置されることを要旨とする。
従って、請求項４に係る発明によれば、係止受部と係止舌片部との係止間隔が各係止受部の離間間隔より小さくなるので、第１本体部材と第２本体部材との組付け位置を細かく調整することが可能となり、両本体部材を端縁が当接した状態で組付けることができる。
【００１５】
請求項５に記載の発明は、前記係止列部は前記規制部に対向する側面に設けられ、前記係止舌片部は該規制部に設けられることを要旨とする。
従って、請求項５に係る発明によれば、連結片部が間隙に挿通した際に係止列部の各係止受部と係止舌片部とが対向するようになり、係止列部と係止舌片部との適切な係止が図られる。
【００１６】
請求項６に記載の発明は、前記係止列部は、連結片部を挟んで立設される２つの前記支持部に夫々対向する各端面に設けられ、前記係止舌片部は各支持部に設けられることを要旨とする。
従って、請求項６に係る発明によれば、連結片部が間隙に挿通した際に係止列部の各係止受部と係止舌片部とが対向するようになり、係止列部と係止舌片部との適切な係止が図られる。
【００１７】
請求項７に記載の発明は、前記第１係止部は、少なくとも前記コンソールボックスの本体下端部に臨む前記第１端縁部の下端部に設けられることを要旨とする。
従って、請求項７に係る発明によれば、コンソール本体の本体下端部に、隙間や段差が形成されることが防止される。
【発明の効果】
【００１８】
本発明に係るフロアコンソールによれば、第１本体部材と第２本体部材とを組付けてコンソール本体を構成した際に、当接した両本体部材の端縁間に隙間や段差が形成されないので、品質の低下を防止することができる。
【発明を実施するための最良の形態】
【００１９】
次に、本発明に係るフロアコンソールにつき、好適な実施例を挙げて、添付図面を参照しながら以下説明する。なお、図１２〜図１７において既出の部材、部位と同一の部材、部位については、同一の名称で指称すると共に同一の符号で指示する。また実施例では、車内における前部座席間のフロアにフロアコンソールＦＣを設置した際に、車体の前後方向となる方向をコンソール本体１０の前後方向とし、車体の左右方向となる方向をコンソール本体１０の左右方向とすると共に、車体の上下方向となる方向をコンソール本体１０の上下方向とする。すなわち図１では、図面の左右方向がコンソール本体１０の前後方向となっている。
【実施例】
【００２０】
図１は、実施例のフロアコンソールＦＣを構成するコンソール本体１０の後側部分を、縦断した状態で示した側断面図である。実施例のフロアコンソールＦＣにおけるコンソール本体１０は、図１２に示すように、左右に位置する左パネル１６および右パネル１８と上方に位置する上パネル１７とで構成される第２本体部材としてのサイドパネル部材１４と、後ろに位置する後パネル２２で構成されて、サイドパネル部材１４に対して後方から組付けられる第１本体部材としてのリアパネル部材２０とから構成される。サイドパネル部材１４は、リアパネル部材２０が組付けられる後方側が開口しており、この後方開口部に臨む左パネル１６の後端、上パネル１７の後端および右パネル１８の後端により、倒伏コ字状をなす第２端縁部としての後端部２４が形成されている。またリアパネル部材２０は、後パネル２２の左縁、上縁および右縁が前方に向けて延出形成されており、この延出形成された部分により、倒伏コ字状を呈して該サイドパネル部材１４の後端部２４に整合する第１端縁部としての前端部２６が形成されている。また、図２〜図５に示すように、リアパネル部材２０の前端部２６の内側には、該前端部２６の端縁に沿って延在する内側当接片２０Ａが、該前端部２６の端縁から前方へ延出した状態に形成されている。
【００２１】
そして、実施例のコンソール本体１０は、サイドパネル部材１４の後端部２４における左側部分および右側部分と、リアパネル部材２０の前端部２６における右側部分および左側部分に、図１３〜図１７に示した従来の第１連結部３０および第２連結部４０を交互に配置すると共に、コンソール本体１０の本体下端部１０Ａに対応する前端部２６および後端部２４の下端部に、新たに提案された第３連結部５０を配置して構成されている。第１連結部３０を構成する爪状突部３２および係合孔部３４や、第２連結部４０を構成する係止突部４４および係止孔部４２は、図１３〜図１７に示したものと基本的に同一であるから、同一の符号で指示して詳細な説明は省略する。なお、前述した第１連結部３０の爪状突部３２、第２連結部４０の係止孔部４２、後述する第３連結部５０の第１係止部５２は、前述した内側当接片２０Ａに一体的に形成されている。
【００２２】
第３連結部５０は、図２〜図５に示すように、リアパネル部材２０の前端部２６に形成した内側当接片２０Ａに設けた第１係止部５２と、サイドパネル部材１４の後端部２４における内壁面(壁面)１４Ａに設けた第２係止部５４とから構成されている。実施例の第３連結部５０は、コンソール本体１０における左パネル１６および右パネル１８の下端部に隣接して、各々１組ずつが配置されている。すなわち、第３連結部５０の第１係止部５２は、コンソール本体１０の本体下端部１０Ａに臨むリアパネル部材２０における前端部２６の下端部に設けられており、該第１係止部５２の上側には第１連結部３０が配設されているが、下側には何れの連結部も配設されていない。また、第３連結部５０の第２係止部５４は、第１係止部５２の配置位置に対応して、コンソール本体１０の本体下端部１０Ａに臨むサイドパネル部材１４における後端部２４の下端部に設けられており、該第２係止部５４の下側には何れの連結部も配設されていない。なお、コンソール本体１０の左パネル１６に配置された第３連結部５０および右パネル１８に配置した第３連結部５０は同一に構成されているので、実施例では右パネル１８の下端部に配置した第３連結部５０は図示省略し、左パネル１６の下端部に配置した第３連結部５０のみを示す。
【００２３】
第１係止部５２は、リアパネル部材２０の前端部２６における端縁、すなわち内側当接片２０Ａの前端より前方へ略水平に延出するように形成されて、サイドパネル部材１４側へ延出する連結片部５６を備えている。すなわち、連結片部５６はコンソール本体１０の前方に向けて延出しており、該連結片部５６の延出方向とコンソール本体１０の前後方向とは同一となっている。この連結片部５６は、リアパネル部材２０と一体的に形成された片持ちの板片状を呈しており、該連結片部５６の厚みは内側当接片２０Ａと略同一であり(図４)、上下方向における該連結片部５６の幅Ｗ１は厚みの数倍(例えば４倍程度)とされている。従って連結片部５６は、リアパネル部材２０に対して上下方向(図３の上下方向)への撓曲変形および左右方向(図５の左右方向)への撓曲変形が発現しない強度を有するように形成されている。また、延出方向における連結片部５６の先端は、中央が突出した尖端形状に形成されており、サイドパネル部材１４とリアパネル部材２０の組付け時に後述する間隙Ｔを挿通する際のガイド面として機能する。このような連結片部５６は、サイドパネル部材１４とリアパネル部材２０との組付け時に該サイドパネル部材１４の内壁面(壁面)１４Ａに沿って延在し、該連結片部５６の外側面５６Ａが内壁面(壁面)１４Ａに対向するようになっている(図４、図５)。
【００２４】
また、連結片部５６の外面を構成する一面であって外側面５６Ａの反対面となる内側面５６Ｂには、図３に示すように、該連結片部５６の延出方向に延在する２列の係止列部６０が、延出方向と交差する方向において隣接して並列に設けられている。実施例では、図３における下側の係止列部６０を第１係止列部６０Ａと指称し、図３における上側の係止列部６０を第２係止列部６０Ｂと指称する。連結片部５６の内側面５６Ｂには、図３に示すように、連結片部５６の延出方向と交差する方向への幅が該連結片部５６の幅Ｗ１の半分に設定した鋸歯状を呈し、連結片部５６の延出方向に沿った方向で破断した断面形状が略三角形をなす複数(実施例では５個)の尖端突部６２が、該延出方向へ一定のピッチ(離間間隔)Ｐで直列に突設されている。各尖端突部６２は、図４に示すように、連結片部５６の基端側(リアパネル部材２０側)を指向する傾斜面の内側面５６Ｂに対する傾斜角度と、該連結片部５６の先端側を指向する傾斜面の内側面５６Ｂに対する傾斜角度とが異なり、傾斜角度を大きく設定した基端側を指向する傾斜面が、後述する係止舌片部７４が係止する係止受部６４として機能するようになっている。すなわち、第１係止列部６０Ａおよび第２係止列部６０Ｂは、連結片部５６の延出方向にピッチ(離間間隔)Ｐ毎で直列に離間配置された５個の係止受部６４からなっている。
【００２５】
そして、内側面５６Ｂにおいて隣接して並列に設けた第１係止列部６０Ａと第２係止列部６０Ｂとは、図３および図４に示すように、５個からなる各係止受部６４を連結片部５６の延出方向において互いにずらして配置されている。実施例では、第１係止列部６０Ａおよび第２係止列部６０Ｂのずれ量は、前述したピッチＰの１／２に設定されており、第１係止列部６０Ａの各係止受部６４が、第２連結片部６０Ｂの各係止受部６４よりも連結片部５６の先端部方向にずれている。従って実施例では、図４に示すように、ピッチＰの約４.５倍に相当する長さＬにおいて、合計１０個の係止受部６４が連結片部５６の延出方向にピッチＰの１／２毎に配置されている。
【００２６】
第２係止部５４は、図２〜図５に示すように、サイドパネル部材１４の内壁面１４Ａとの間に、連結片部５６が挿通する間隙Ｔを画成するよう該サイドパネル部材１４に設けた規制壁部７０を備えている。この規制壁部７０は、上下方向に所要間隔をおいてサイドパネル部材１４の内壁面１４Ａから略水平に立設された一対の支持部７０Ａ,７０Ａと、両支持部７０Ａ,７０Ａの先端間に支持されて、前述した間隙Ｔが画成されるよう該内壁面１４Ａと略平行となっている規制部７０Ｂとからなり、該規制壁部７０は略コ字形を呈している。各支持部７０Ａ,７０Ａは、間隙Ｔに挿通した連結片部５６の上端５６Ｃおよび下端５６Ｄに夫々対向するようになり、図３に示すように、両支持部７０Ａ,７０Ａ間の間隔Ｓ２は、連結片部５６の幅Ｗ１より僅かに大きく設定されている。また規制部７０Ｂは、間隙Ｔに挿通した連結片部５６の内側面５６Ｂに対向するようになり、図４に示すように、内壁面１４Ａと規制部７０Ｂとの間隔Ｓ１は、連結片部５６の最大厚みＷ２より大きく設定されている。すなわち、サイドパネル部材１４とリアパネル部材２０との組付け時には、図２(ｂ)および図３〜図５に示すように、内壁面１４Ａ、規制部７０Ｂおよび各支持部７０Ａ,７０Ａで囲まれた矩形の間隙Ｔ内に、連結片部５６が先端から挿通されるよう構成されている。
【００２７】
また、前述した規制壁部７０の規制部７０Ｂには、図３〜図６に示すように、規制部７０Ｂから内壁面１４Ａに向けて突出する２個の係止舌片部７４が、該間隙Ｔに挿通される連結片部５６の延出方向と交差する方向において、該連結片部５６に設けた第１係止列部６０Ａおよび第２係止列部６０Ｂに夫々対向するよう並列に設けられている。実施例では、図３における下側の係止舌片部７４を第１係止舌片部７４Ａと指称し、図３における上側の係止舌片部７４を第２係止舌片部７４Ｂと指称する。これら第１係止舌片部７４Ａおよび第２係止舌片部７４Ｂは、連結片部５６の延出方向において一致するように、換言すると連結片部５６の延出方向と交差する方向において一直線上に配置されており、第１係止舌片部７４Ａは間隙Ｔに挿通した連結片部５６に設けた第１係止列部６０Ａに対向し、第２係止舌片部７４Ｂは該連結片部５６に設けた第２係止列部６０Ｂに対向するよう構成されている。また、第１係止舌片部７４Ａおよび第２係止舌片部７４Ｂは、図６(ａ)〜図６(ｃ)に示すように、規制壁部７０から内壁面１４Ａに向けてリアパネル部材２０から離間する側へ傾斜した状態に突出している。
【００２８】
従って、第１係止舌片部７４Ａおよび第２係止舌片部７４Ｂは、間隙Ｔに対して後方側から挿通した連結片部５６の各尖端突部６２が接触すると、内壁面１４Ａから離間する方向へ弾性変形し、連結片部５６のサイドパネル部材１４とリアパネル部材２０とが互いに近接する方向への移動を許容する(図６(ｂ))。また、第１係止舌片部７４Ａおよび第２係止舌片部７４Ｂは、間隙Ｔに挿通した連結片部５６の各尖端突部６２の間に位置すると、突張った状態で第１係止列部６０Ａまたは第２係止列部６０Ｂの係止受部６４に係止するようになり、連結片部５６のサイドパネル部材１４とリアパネル部材２０とが互いに離間する方向への移動を規制する(図４,図６(ａ),図６(ｃ))。なお、サイドパネル部材１４とリアパネル部材２０とが互いに近接する方向とは、連結片部５６が間隙Ｔに対して後方側から挿入する方向であり、サイドパネル部材１４とリアパネル部材２０とが互いに離間する方向とは、連結片部５６が間隙Ｔから後退する方向である。
【００２９】
実施例の第３連結部５０は、前述したように、第１係止舌片部７４Ａおよび第２係止舌片部７４Ｂが、連結片部５６の延出方向において一致するように配置されると共に、第１係止列部６０Ａと第２係止列部６０Ｂとは、該連結片部５６の延出方向において各係止受部６４がピッチＰの１／２だけずらして配置されている。従って、連結片部５６が間隙Ｔ内へ挿通する際には、該連結片部５６の挿通量がピッチＰの１／２ずつ増加する毎に、第１係止舌片部７４Ａおよび第２係止舌片部７４Ｂが対応の第１係止列部６０Ａおよび第２係止列部６０Ｂへ交互に係止する。すなわち、第１係止舌片部７４Ａが第１係止列部６０Ａの係止受部６４に係止している場合は第２係止舌片部７４Ｂは弾性変形しており、第２係止舌片部７４Ｂが第２係止列部６０Ｂの係止受部６４に係止している場合は、第１係止舌片部７４Ａは弾性変形している。従って、第３連結部５０における第１係止部５２と第２係止部５４とは、図４に示すように、前述した長さＬの範囲内において、ピッチＰの１／２毎に合計１０段階で係止されるよう構成されている。
【００３０】
しかも、実施例の第３連結部５０では、第１係止部５２と第２係止部５４との係止間隔がピッチＰの１／２であっても、連結片部５６に設けた各尖端突部６２の内側面５６Ｂからの突出量はピッチＰの場合と同一であるから、係止受部６４と係止舌片部７４との係止面積を大きくすることができ、サイドパネル部材１４とリアパネル部材２０との組付け状態を適切に維持することができる。すなわち、単一の係止列部６０により各係止受部６４をピッチＰの１／２毎で直列に離間配置する場合には、連結片部５６に設けた各尖端突部６２の突出量が半分になるから、係止受部６４と係止舌片部７４との係止面積も半分程度となり、係止舌片部７４が係止受部６４から外れてサイドパネル部材１４とリアパネル部材２０との組付け状態を維持できないおそれがある。しかるに、実施例の第３連結部５０では、前述したように、係止受部６４と第１係止舌片部７４Ａおよび第２係止舌片部７４Ｂとの係止面積を小さくすることなくピッチＰの１／２毎に係止させることができるので、第１係止舌片部７４Ａおよび第２係止舌片部７４Ｂが係止受部６４から外れ難く、サイドパネル部材１４とリアパネル部材２０との組付け状態を適切に維持することが可能である。
【００３１】
更に、間隙Ｔに挿通した連結片部５６は、図４、図５および図６(ｃ)に示すように、サイドパネル部材１４の内壁面１４Ａと、規制壁部７０の規制部７０Ｂに設けた第１係止舌片部７４Ａまたは第２係止舌片部７４Ｂとにより、左右両側から支持されて左右方向への動きが規制されるようになっている。すなわち、連結片部５６の外側面５６Ａはサイドパネル部材１４の内壁面１４Ａに接触しているため、該連結片部５６は内壁面１４Ａ側への移動が規制される。また、連結片部５６の内側面５６Ｂからは、第１係止舌片部７４Ａまたは第２係止舌片部７４Ｂの何れか一方が係止受部６４に係止すると共に他方が尖端突部６２に弾性変形しながら当接しているため、該連結片部５６は規制部７０Ｂ側への変形も規制される。従って、間隙Ｔに連結片部５６が延出している際は、組付けられたサイドパネル部材１４における後端部２４の端縁とリアパネル部材２０における前端部２６の端縁とが、コンソール本体１０の左右方向へずれて段差が形成されることも防止されるよう構成されている。
【００３２】
サイドパネル部材１４とリアパネル部材２０とを組付けるには、先ず、該リアパネル部材２０に設けた係止フック４８をサイドパネル部材１４の後側に形成した係止孔４６に突入係止させ、サイドパネル部材１４とリアパネル部材２０とを仮付けする。次いで、各第１連結部３０では、リアパネル部材２０側に設けた爪状突部３２をサイドパネル部材１４に設けた係合孔部３４に整合させると共に、各第２連結部４０では、リアパネル部材２０側に設けた係止孔部４２にサイドパネル部材１４側に設けた係止突部４４を整合させる。更に各第３連結部５０では、リアパネル部材２０側に設けた連結片部５６を、サイドパネル部材１４に設けた間隙Ｔに後方側から整合させる。第１連結部３０、第２連結部４０および第３連結部５０を夫々整合させた状態において、リアパネル部材２０をサイドパネル部材１４に対して後方側から押し付けることにより、各第１連結部３０の爪状突部３２が係合孔部３４に突入係合し、各第２連結部４０の係止突部４４が係止孔部４２に突入係止される。
【００３３】
各第３連結部５０では、サイドパネル部材１４とリアパネル部材２０とが相互近接するに伴い、図６(ａ)〜図６(ｃ)に示すように、前述した各第１係止舌片部７４Ａおよび第２係止舌片部７４Ｂが内壁面１４Ａから離間するように弾性変形し、連結片部５６が間隙Ｔへ挿通することが許容される。そして、サイドパネル部材１４の後端部２４における端縁とリアパネル部材２０の前端部２６における端縁とが当接した際には、第１係止舌片部７４Ａまたは第２係止舌片部７４Ｂの何れか一方が、対応の第１係止列部６０Ａまたは第２係止列部６０Ｂにおける各係止受部６４の何れかに係止される。
【００３４】
前述した実施例に係るフロアコンソールによれば、次のような作用効果を奏する。先ず、サイドパネル部材１４とリアパネル部材２０との組付け時には、間隙Ｔに挿通する連結片部５６の当接により第１係止舌片部７４Ａおよび第２係止舌片部７４Ｂが弾性変形するので、間隙Ｔに向け延出する連結片部５６の両パネル部材１４,２０が互いに近接する方向への移動が許容され、両パネル部材１４,２０を端縁が当接した状態で組付けることを可能とする。そして、サイドパネル部材１４とリアパネル部材２０とを組付けた際には、第１係止列部６０Ａまたは第２係止列部６０Ｂの係止受部６４と第１係止舌片部７４Ａまたは第２係止舌片部７４Ｂとの係止により、間隙Ｔに挿通された連結片部５６の両パネル部材１４,２０が互いに離間する方向への移動が規制され、両パネル部材１４,２０の端縁間の当接状態が適切に保持され、コンソール本体１０の本体下端部１０Ａに隙間が形成されることが防止される。また、間隙Ｔに臨む内壁面１４Ａと規制壁部７０の規制部７０Ｂとにより、間隙Ｔに挿通した連結片部５６の左右方向への移動も規制され、コンソール本体１０の本体下端部１０Ａに段差が形成されることも防止される。従って実施例のフロアコンソールＦＣでは、組付けられたサイドパネル部材１４とリアパネル部材２０との端縁間に隙間や段差が形成されないので、該フロアコンソールＦＣの品質低下の防止が図られる。
【００３５】
そして、連結片部５６の内側面５６Ｂに並列に設けた第１係止列部６０Ａおよび第２係止列部６０Ｂには、該連結片部５６の延出方向にピッチＰ毎に５個の係止受部６４が離隔配置されているので、第１係止列部６０Ａおよび第２係止列部６０Ｂ毎に、連結片部５６の延出方向において５段階の位置で係止される。従って、第１係止部５２の第１係止列部６０Ａおよび第２係止列部６０Ｂや、第２係止部５４の第１係止舌片部７４Ａおよび第２係止舌片部７４Ｂの形成位置が、成形誤差や熱変形等に伴って規定位置から連結片部５６の延出方向へずれていても、サイドパネル部材１４とリアパネル部材２０との端部同士が互いに当接状態において第１係止部５２と第２係止部５４との係止が適切に図られる。
【００３６】
更に、２列の第１係止列部６０Ａおよび第２係止列部６０Ｂは、５個の各係止受部６４を該連結片部５６の延出方向へ互いにピッチＰの１／２に相当する長さだけずらして配置すると共に、第１係止舌片部７４Ａおよび第２係止舌片部７４Ｂは、連結片部５６の延出方向において一致するように配置した。従って、第１係止部５２と第２係止部５４とは、図４に示すように、ピッチＰの約４.５倍に相当する長さＬにおいてピッチＰの１／２毎に合計１０段階に係止され、両係止部５２,５４の係止位置数が増加すると共に係止間隔がピッチＰより小さくなるので、サイドパネル部材１４とリアパネル部材２０との組付け位置を細かく調整することが可能となり、両パネル部材１４,２０を端縁が適切に当接した状態で組付けることができる。しかも、実施例の第３連結部５０では、係止受部６４と第１係止舌片部７４Ａおよび第２係止舌片部７４Ｂとの係止面積を小さくすることなくピッチＰの１／２毎に係止させることができるので、第１係止舌片部７４Ａおよび第２係止舌片部７４Ｂが係止受部６４から外れ難く、サイドパネル部材１４とリアパネル部材２０との組付け状態を適切に維持することが可能である。
【００３７】
(変更例１)
図７および図８は、変更例１に係るフロアコンソールＦＣ示した説明図である。この変更例１のフロアコンソールＦＣでは、リアパネル部材２０の前端部２６に設けた連結片部５６の内側面５６Ｂに、連結片部５６の上下方向の幅Ｓ１の全幅に亘って形成されて、該連結片部５６の延出方向に離間配置した複数(変更例１では５個)の係止受部６４からなる単一の係止列部６０を配置してある。また、サイドパネル部材１４の後端部２４に設けた規制壁部７０の規制部７０Ｂには、第１係止舌片部７４Ａおよび第２係止舌片部７４Ｂが、間隙Ｔに挿通する連結片部５６の延出方向と交差する方向において、係止列部６０の各係止受部６４に対応するよう並列に設けられている。しかも、第１係止舌片部７４Ａと第２係止舌片部７４Ｂとは、図８(ａ)に示すように、ピッチＰの１／２に相当する間隔でずらして配置されている。なお、第１係止舌片部７４Ａと第２係止舌片部７４Ｂは、前述した実施例と同様に、規制壁部７０から内壁面１４Ａに向けてリアパネル部材２０から離間する側へ傾斜した状態に突出していると共に、該内壁面１４Ａから離間する方向に弾性変形するようになっている。
【００３８】
従って、第１係止舌片部７４Ａおよび第２係止舌片部７４Ｂは、連結片部５６が間隙Ｔへ挿通することを許容すると共に、該間隙Ｔに挿通する該連結片部５６の挿通量がピッチＰの１／２ずつ増加する毎に、第１係止舌片部７４Ａおよび第２係止舌片部７４Ｂが係止列部６０の各係止受部６４に交互に係合する。これにより、サイドパネル部材１４とリアパネル部材２０との組付けに際しては、第１係止部５２と第２係止部５４とがピッチＰの１／２毎に合計１０段階に係止され得るようになり、両係止部５２,５４の係止位置数が増加すると共に両パネル部材１４,２０の組付け位置を細かく調整することが可能であり、前述した実施例と同様の作用効果を奏する。
【００３９】
(変更例２)
図９および図１０は、変更例２に係るフロアコンソールＦＣを示した説明図である。この変更例２のフロアコンソールＦＣでは、第３連結部５０の第１係止部５２が、リアパネル部材２０の前端部２６に配置され、該第１係止部５２と係止する第２係止部５４がサイドパネル部材１４の後端部２４に配置されている。第１係止部５２は連結片部５６と係止列部６０とを備え、第２係止部５４は、規制壁部７０と係止舌片部７４とを備えており、連結片部５６および規制壁部７０は、前述した実施例および変更例１と基本的に同一となっている。すなわち変更例２では、連結片部５６に設けた係止列部６０および規制壁部７０に設けた係止舌片部７４の形態が実施例および変更例と異なっている。従って、係止列部６０および係止舌片部７４について説明し、それ以外は実施例と同一符号で指示する。
【００４０】
板片状を呈する連結片部５６の上端(端面)５６Ｃおよび下端(端面)５６Ｄには、図９(ａ)に示すように、連結片部５６の延出方向に延在する２列の係止列部６０が、該延出方向と交差する方向において離間して並列に設けられている。変更例２では、連結片部５６の下端５６Ｄに設けた係止列部６０を第１係止列部６０Ａと指称し、上端５６Ｃに設けた係止列部６０を第２係止列部６０Ｂと指称する。連結片部５６の上端５６Ｃおよび下端５６Ｄには、図１０に示すように、連結片部５６の延出方向と交差する方向への幅が該連結片部５６の厚みと同等に設定した鋸歯状を呈する複数(変更例２では５個)の尖端突部６２が、該延出方向へ一定のピッチＰで直列に突設されており、各尖端突部６２におけるリアパネル部材２０側の傾斜面が係止受部６４として機能する。すなわち、第１係止列部６０Ａおよび第２係止列部６０Ｂは、連結片部５６の延出方向にピッチＰ毎で直列に離間配置された５個ずつの係止受部６４からなっている。
【００４１】
そして、連結片部５６の延出方向と交差する方向において並列に設けた第１係止列部６０Ａと第２係止列部６０Ｂとは、図１０に示すように、５個からなる各係止受部６４を連結片部５６の延出方向において互いにずらして配置されている。変更例２では、第１係止列部６０Ａおよび第２係止列部６０Ｂのずれ量は、前述したピッチＰの１／２に設定されており、第１係止列部６０Ａの各係止受部６４が、第２連結片部６０Ｂの各係止受部６４よりも連結片部５６の先端方向にずれている。従って変更例２では、前述した実施例と同様に、合計１０個の係止受部６４が連結片部５６の延出方向にピッチＰの１／２毎に配置されている。
【００４２】
また、規制壁部７０の各支持部７０Ａ,７０Ａには、図８〜図１０に示すように、内壁面１４Ａに沿って間隙Ｔに向け突出する２個の係止舌片部７４,７４が、該間隙Ｔに挿通する連結片部５６の延出方向と交差する方向において、該連結片部５６に設けた第１係止列部６０Ａおよび第２係止列部６０Ｂに夫々対向するよう並列に設けられている。変更例２では、第１係止列部６０Ａに対向する係止舌片部７４を第１係止舌片部７４Ａと指称し、第２係止列部６０Ｂに対向する係止舌片部７４を第２係止舌片部７４Ｂと指称する。これら第１係止舌片部７４Ａおよび第２係止舌片部７４Ｂは、連結片部５６の延出方向において一致するように、換言すると連結片部５６の延出方向と交差する方向において一直線上に配置されている。また、第１係止舌片部７４Ａおよび第２係止舌片部７４Ｂは、図９に示すように、リアパネル部材２０から離間する側へ傾斜した状態に突出しており、連結片部５６に設けた各尖端突部６２が間隙Ｔの側から第１係止舌片部７４Ａおよび第２係止舌片部７４Ｂに接触すると、両係止舌片部７４Ａ,７４Ｂは間隙Ｔから退避するように弾性変形が可能になっている。なお、図９(ａ)に示すように、内壁面１４Ａと規制部７０Ｂとの間隔Ｓ１は、連結片部５６の最大厚みＷ２と、略同一となるように設定されている。
【００４３】
従って変更例２では、第３連結部５０の第１係止部５２と第２係止部５４とがピッチＰの１／２毎に合計１０段階で係止され得るよう構成されており、サイドパネル部材１４とリアパネル部材２０との組付け時における第１係止部５２と第２係止部５４との係止位置数が増加すると共に組付け位置を細かく調整することが可能となり、両パネル部材１４,２０を端縁が適切に当接した状態で組付け得る。更に、間隙Ｔに挿通した連結片部５６は、図９に示すように、サイドパネル部材１４の内壁面１４Ａおよび規制壁部７０に設けた規制部７０Ｂにより左右両側への移動も規制され、両パネル部材１４,２０を端縁間に段差が形成されることも防止される。従って、変更例２のフロアコンソールＦＣでは、コンソール本体１０の本体下端部１０Ａに隙間や段差が形成されることが防止され、前述した実施例および変更例１のフロアコンソールＦＣと同等の作用効果を奏する。
【００４４】
(変更例３)
図１１は、変更例３に係るフロアコンソールＦＣを示した説明図である。この変更例３のフロアコンソールＦＣでは、変更例２と同様に、板片状を呈する連結片部５６の上端５６Ｃおよび下端５６Ｄに、５個の係止受部６４からなる第１係止列部６０Ａおよび第２係止列部６０Ｂを設けてある。第１係止列部６０Ａおよび第２係止列部６０Ｂは、５個の各係止受部６４を連結片部５６の延出方向において一致するように配置されている。また、規制壁部７０の各支持部７０Ａ,７０Ａに、連結片部５６の延出方向と交差する方向において離間して、各係止列部６０Ａ,６０Ｂに夫々対向する第１係止舌片部７４Ａおよび第２係止舌片部７４Ｂが設けられている。第１係止舌片部７４Ａおよび第２係止舌片部７４Ｂは、連結片部５６の延出方向においてピッチＰの１／２に相当する間隔でずらして配置されている。そして、第１係止舌片部７４Ａと第２係止舌片部７４Ｂは、前述した変更例２と同様に、支持部７０Ａ,７０Ａから内壁面１４Ａに沿って延出し、かつ間隙Ｔに向けてリアパネル部材２０から離間する側へ傾斜した状態に突出しており、該間隙Ｔから退避するように弾性変形が可能になっている。
【００４５】
従って変更例３では、第３連結部５０の第１係止部５２と第２係止部５４とがピッチＰの１／２毎に合計１０段階で係止され得るよう構成されており、サイドパネル部材１４とリアパネル部材２０との組付け時における第１係止部５２と第２係止部５４との係止位置数が増加すると共に組付け位置を細かく調整することが可能となり、両パネル部材１４,２０を端縁が適切に当接した状態で組付け得る。更に、間隙Ｔに挿通した連結片部５６は、サイドパネル部材１４の内壁面１４Ａおよび規制壁部７０に設けた規制部７０Ｂにより左右両側への移動も規制され、両パネル部材１４,２０を端縁間に段差が形成されることも防止される。従って、変更例３のフロアコンソールＦＣでは、コンソール本体１０の本体下端部１０Ａに隙間や段差が形成されることが防止され、前述した実施例および各変更例のフロアコンソールＦＣと同等の作用効果を奏する。
【００４６】
実施例および各変更例では、第３連結部５０に関して、係止列部６０を設けた連結片部５６からなる第１係止部５２を第１本体部材としてのリアパネル部材２０に設けると共に、係止舌片部７４を設けた規制壁部７０からなる第２係止部５４を第２本体部材としてのサイドパネル部材１４に設けた形態を例示したが、該第１係止部５２をサイドパネル部材１４の後端部２４に設けると共に、該第２係止部５４をリアパネル部材２０の前端部２６に設けてもよい。
【００４７】
実施例では、連結片部５６の内側面５６Ｂに、２列の係止列部６０(第１係止列部６０Ａおよび第２係止列部６０Ｂ)を隣り合うように設けた場合を例示したが、この係止列部６０は配置数は２列に限らず、３列またはそれ以上としてもよい。なお、係止列部６０の配置数を３列に設定した場合には、各係止列部６０の配置位置を、各係止受部６４のピッチＰの１／３に相当する長さずつ連結片部５６の延出方向にずらすようにすれば、第１係止部５２と第２係止部５４との係止間隔を実施例および変更例より更に細かくすることができ、サイドパネル部材１４とリアパネル部材２０との組付け位置を更に細かくすることができる。
【００４８】
変更例では、規制壁部７０の規制部７０Ｂに、２列の係止舌片部７４(第１係止舌片部７４Ａおよび第２係止舌片部７４Ｂ)を設けた場合を例示したが、この係止舌片部７４の配置数は２列に限らず、３列またはそれ以上としてもよい。なお、係止舌片部７４の配置数を３列に設定した場合には、各係止舌片部７４の配置位置を、前述したピッチＰの１／３に相当する長さずつ連結片部５６の延出方向にずらすようにすれば、第１係止部５２と第２係止部５４との係止間隔を実施例および変更例より更に細かくすることができ、サイドパネル部材１４とリアパネル部材２０との組付け位置を更に細かくすることができる。
【００４９】
実施例では、連結片部５６の内側面５６Ｂに設けた２列の係止列部６０を、連結片部５６の延出方向へピッチＰの１／２に相当する長さにずらして配置した場合を例示したが、各係止列部６０のずれ量はピッチＰの１／２に限定されるものではなく、例えばピッチＰの１／３や１／４等としてもよい。また変更例２では、連結片部５６の上端５６Ｃおよび下端５６Ｄに設けた２列の係止列部６０を、連結片部５６の延出方向へピッチＰの１／２に相当する長さにずらして配置した場合を例示したが、各係止列部６０のずれ量はピッチＰの１／２に限定されるものではなく、例えばピッチＰの１／３や１／４等としてもよい。
【００５０】
変更例１では、規制壁部７０の規制部７０Ｂに設けた２つの係止舌片部７４を、連結片部５６の延出方向へピッチＰの１／２に相当する長さにずらして配置した場合を例示したが、各係止舌片部７４のずれ量はピッチＰの１／２に限定されず、例えばピッチＰの１／３や１／４等としてもよい。また変更例３では、規制壁部７０の支持部７０Ａ,７０Ａに設けた２つの係止舌片部７４を、連結片部５６の延出方向へピッチＰの１／２に相当する長さにずらして配置した場合を例示したが、各係止舌片部７４のずれ量はピッチＰの１／２に限定されず、例えばピッチＰの１／３や１／４等としてもよい。
【００５１】
第３連結部５０は、実施例または変更例１のような構成の第１係止部５２および第２係止部５４と、変更例２または変更例３のような構成の第１係止部５２および第２係止部５４とを組み合わせて構成してもよい。
【００５２】
第３連結部５０は、リアパネル部材２０の前端部２６に設けた第１係止部５２における連結片部５６の外側面５６Ａに係止列部６０を設けると共に、サイドパネル部材１４の後端部２４の内壁面１４Ａに、係止列部６０に係止する係止舌片部７４を設けた構成としてもよい。
【００５３】
実施例では、サイドパネル部材１４の後端部２４およびリアパネル部材２０の前端部２６における下端部のみに第３連結部５０を設置し、この第３連結部５０と従来の第１連結部３０および第２連結部４０とを併用した組付構造を例示したが、サイドパネル部材１４の後端部２４およびリアパネル部材２０の前端部２６の全体に第３連結部５０だけを配設するようにしてもよい。
【００５４】
実施例および各変更例では、第１本体部材と第２本体部材とを前後方向から組付けて構成されるコンソール本体１０を備えたフロアコンソールＦＣを例示したが、第１本体部材と第２本体部材とを上下方向から組付けて構成されるコンソール本体１０や、第１本体部材と第２本体部材とを左右方向から組付けて構成されるコンソール本体１０を備えたフロアコンソールＦＣも対象とされる。第１本体部材と第２本体部材とが上下方向から組付けられるコンソール本体１０の場合は、第１係止部５２と第２係止部５４とは上下方向から係止されるようになる。また、第１本体部材と第２本体部材とが上下方向から組付けられるコンソール本体１０の場合は、第１係止部５２と第２係止部５４とは左右方向から係止されるようになる。
【図面の簡単な説明】
【００５５】
【図１】実施例に係るフロアコンソールのコンソール本体における後側部分を破断して示した縦断側面図である。
【図２】(ａ)は、サイドパネル部材とリアパネル部材とを組付ける前の状態で示した部分斜視図であり、(ｂ)は、サイドパネル部材とリアパネル部材とを組付けた状態で示した部分斜視図である。
【図３】リアパネル部材に設けた第１係止部とサイドパネル部材に設けた第２係止部とが、係止列部の係止受部と係止舌片部との係止により係止された状態を、一部破断して示した部分側面図である。
【図４】図３のIV−IV線断面図である。
【図５】図３のＶ−Ｖ線断面図である。
【図６】サイドパネル部材に設けられる間隙に連結片部が挿通されるに際し、該連結片部に設けた尖端突部の当接により係止舌片部が間隙から退避するように弾性変形することを示した説明断面図である。
【図７】変更例１に係るフロアコンソールの第３連結部を示した説明図であって、サイドパネル部材に設けた第１係止部とリアパネル部材に設けた第２係止部とが、係止列部と係止舌片部との係止により連結された状態を示している。
【図８】(ａ)は、図７のVIII−VIII線断面図であって、間隙に連結片部が挿通するに際し、第２係止舌片部が係止列部の係止受部に係止した状態を示し、(ｂ)は、(ａ)に対して連結片部の挿通量が１／２ピッチ増加することで、第１係止舌片部が係止列部の係止受部に係止した状態を示している。
【図９】変更例２に係るフロアコンソールの第３連結部の構成を示した説明図であって、(ａ)は、サイドパネル部材とリアパネル部材とを組付ける前の状態で示した部分斜視図であり、(ｂ)は、サイドパネル部材とリアパネル部材とを組付けた状態で示した部分斜視図である。
【図１０】変更例２に係るフロアコンソールの第３連結部を示した説明図である。
【図１１】変更例３に係るフロアコンソールの第３連結部を示した説明図である。
【図１２】サイドパネル部材およびリアパネル部材を組付けて構成されるコンソール本体を備えたフロアコンソールの概略斜視図である。
【図１３】図１２のＸ−Ｘ線断面図であって、第１連結部および第２連結部を利用して、サイドパネル部材とリアパネル部材とが組付けられた状態を示している。
【図１４】図１３に示したサイドパネル部材とリアパネル部材とを、第１連結部および第２連結部を利用して組付ける状態を示した説明断面図である。
【図１５】図１３のＹ−Ｙ線断面図であって、第１連結部の爪状突部と係止孔部とが係止した状態を示すと共に、該第１連結部に内在する欠点を同時に示している。
【図１６】図１３に示した第１連結部および第２連結部の配置関係を逆にしたもとで、これら第１連結部および第２連結部を利用して、サイドパネル部材とリアパネル部材とを組付けた状態を示した説明断面図である。
【図１７】図１３のＺ−Ｚ線断面図であって、第２連結部の係止孔部と係止突部とが係止した状態を示すと共に、該第２連結部に内在する欠点を同時に示している。
【符号の説明】
【００５６】
１０ コンソール本体，１０Ａ 本体下端部，１４ サイドパネル部材(第２本体部材)
１４Ａ 内壁面(壁面)，２０ リアパネル部材(第１本体部材)，２４ 後端部(第２端縁部)
２６ 前端部(第１端縁部)，５２ 第１係止部，５４ 第２係止部，５６ 連結片部
５６Ｂ 内側面(側面)，５６Ｃ 上端(端面)，５６Ｄ 下端(端面)，６０ 係止列部
６４ 係止受部，７０Ａ 支持部，７０Ｂ 規制部，７４ 係止舌片部，Ｔ 間隙
【図１】
2009035078.tif 000003
【図２】
2009035078.tif 000004
【図３】
2009035078.tif 000005
【図４】
2009035078.tif 000006
【図５】
2009035078.tif 000007
【図６】
2009035078.tif 000008
【図７】
2009035078.tif 000009
【図８】
2009035078.tif 000010
【図９】
2009035078.tif 000011
【図１０】
2009035078.tif 000012
【図１１】
2009035078.tif 000013
【図１２】
2009035078.tif 000014
【図１３】
2009035078.tif 000015
【図１４】
2009035078.tif 000016
【図１５】
2009035078.tif 000017
【図１６】
2009035078.tif 000018
【図１７】
2009035078.tif 000019